(57)【要約】【課題】ＤＳＬＡＭの状態の再設定や設定の変更を、ＤＳＬＡＭの管理会社を介することなく宅内側装置から直接に行うことを可能にするアナログ電話信号によるＡＤＳＬ局内装置の制御システムを提供する。【解決手段】ｘＤＳＬ端末４とプッシュ音を発生するアナログ端末５とを備える宅内側装置１と、アナログ回線７により宅内側装置と接続されており、電話交換機８とｘＤＳＬ端末の各々のｘＤＳＬ通信状態を設定するｘＤＳＬ局内装置９を含む局側装置２とを備えたシステムにおいて、電話交換機は、アナログ端末から送られて来るプッシュ音の特別番号に応答して、ｘＤＳＬ端末に対応するＤＳＬＡＭの各種設定を変更可能にする制御装置１２を備えている。【選択図】　　　図１
2004023290.tif 000002
【特許請求の範囲】
【請求項１】
宅内側装置と、
前記宅内側装置と接続された電話交換機を備え、前記電話交換機の通信状態を設定する局側装置とを備えたシステムにおいて、
前記電話交換機は、前記宅内側装置から送られて来る特別番号に応答して、前記局側装置の対応する各種設定状態を変更可能にする制御装置を備えていることを特徴とする、局側装置の制御システム。
【請求項２】
ｘＤＳＬ端末とプッシュ音を発生するアナログ端末とを備える宅内側装置と、
アナログ回線により前記宅内側装置と接続されており、電話交換機のｘＤＳＬ通信状態を設定するｘＤＳＬ局内装置を含む局側装置とを備えたシステムにおいて、
前記電話交換機は、前記アナログ端末から送られて来るプッシュ音に応答して、前記ｘＤＳＬ局内装置の前記電話交換機の各種設定状態を変更可能にする制御装置を備えていることを特徴とする、アナログ電話信号によるｘＤＳＬ局内装置の制御システム。
【請求項３】
前記制御装置は、前記アナログ端末から送られて来る切替信号に応じて回線を公衆電話交換網から制御回線に切り替える切替部と、前記切替部による前記制御回線への切替の後に前記ｘＤＳＬ局内装置に設定されている前記各種設定状態を前記アナログ端末から前記制御回線を介して送られてくる制御信号に応じて変更する制御部とを備えていることを特徴とする、請求項２記載のｘＤＳＬ局内装置の制御システム。
【請求項４】
アナログ回線により宅内側装置と接続された電話交換機を備え、前記電話交換機の通信状態を設定する局側装置であって、
前記電話交換機は、前記宅内側装置から送られて来る特別番号に応答して、前記局側装置の対応する各種設定状態を変更可能にする制御装置を備えていることを特徴とする、局側装置。
【請求項５】
アナログ回線により宅内側装置と接続されており、電話交換機のｘＤＳＬ通信状態を設定するｘＤＳＬ局内装置を含む局側装置であって、
前記電話交換機は、前記アナログ端末から送られて来るプッシュ音に応答して、前記ｘＤＳＬ局内装置の前記電話交換機の各種設定状態を変更可能にする制御装置を備えていることを特徴とする、局側装置。
【発明の詳細な説明】
【０００１】
【発明の属する技術分野】
本発明はアナログ電話信号によるｘＤＳＬ局内装置の制御システムに関し、特に端末側のアナログ電話信号を使用し、電話交換機経由でｘＤＳＬの局内装置（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ　（ＤＳＬＡＭ））を制御するシステムに関する。
【０００２】
【従来の技術】
ｘＤＳＬの動作モードには様々な設定状態がある。たとえば、日本ではＧ．ｌｉｔｅ　Ａｎｎｅｘ　ＣとＧ．ｄｍｔ　Ａｎｎｅｘ　Ｃとがあり、北米ではＡｎｎｅｘ　Ａという仕様が用いられる。Ｇ．ｌｉｔｅ　Ａｎｎｅｘ　Ｃには、下り伝送路にデータは流さずに上り伝送路にのみデータを流すＦＢＭ（Ｆａｒ　Ｅｎｄ　Ｘ（Ｃｒｏｓｓ）　Ｔａｌｋ　ＢｉｔＭａｐ）と、ＩＳＤＮと同期を合わせてノイズの大きい瞬間は伝送速度を遅くし、ノイズが小さい瞬間に高速で伝送するＤＢＭ（Ｄｕａｌ　ＢｉｔＭａｐ）とがある。
【０００３】
このような、動作モードは、例えば端末側で異常が検出された場合などにリセット等の再設定や設定状態の変更を行う必要が生じる。
【０００４】
従来は、ＤＳＬＡＭに対応する端末の動作モードや回線速度等の状態の再設定や設定変更は、ＤＳＬＡＭの管理者のみが可能であった。このため、ＤＳＬＡＭの各種設定状態を変更したり再設定するためには、宅内側装置からＤＳＬＡＭの管理会社に電話で連絡をして所望の設定に変更してもらう必要があった。
【０００５】
【発明が解決しようとする課題】
しかし、宅内側装置からＤＳＬＡＭの管理会社に電話をしても話中であることが多く、接続に要する時間が長くなり、ＤＳＬＡＭの状態の再設定や設定状態の変更を行いたいと思っても直ちに行えないという問題があった。
【０００６】
本発明の目的は、ＤＳＬＡＭの状態の再設定や設定の変更を、ＤＳＬＡＭの管理会社を介することなく宅内側装置から直接に行うことを可能にするアナログ電話信号によるＡＤＳＬ局内装置の制御システムを提供することにある。
【０００７】
【課題を解決するための手段】
上記目的を達成するために、本発明により提供されるものは、電話交換機が、室内装置から送られて来る特別番号に応答して、局側装置の各種設定状態を変更可能にする制御装置を備えていることを特徴とする、局側装置の制御システムである。
【０００８】
これにより、ｘＤＳＬ局内装置の管理会社を介することなく宅内側装置から直接にｘＤＳＬ局内装置の各種設定を変更することが可能になる。
【０００９】
【発明の実施の形態】
本発明の上記目的及び特徴、さらに他の諸特徴は添付図面を参照しながら説明する以下の実施の形態の記載により一層明瞭となる。全図を通じて同一参照番号は同一のものを示す。
【００１０】
図１は本発明の実施の形態によるアナログ電話信号によるｘＤＳＬ局内装置の制御システムの概略構成を示すブロック図である。図１において、このシステムは宅内側装置１と局側装置２を備えている。宅内側装置１は、パソコン（ＰＣ）３と、ＰＣ３に接続されたｘＤＳＬ端末４と、プッシュ音を発生するアナログ端末５と、ｘＤＳＬ端末４及びアナログ端末５に接続されているスプリッタ６とを備えている。
【００１１】
局側装置２はアナログ回線７を介して宅内側装置１に接続されており、電話交換機８と、ｘＤＳＬ局内装置（以下、ＤＳＬＡＭと称する）９と、スプリッタ１０とを備えている。
【００１２】
宅内側装置１内のスプリッタ６は、局側装置２からアナログ回線７を通じて伝送されてくる信号を周波数分離してｘＤＳＬ端末４及びアナログ端末５に供給したり、ｘＤＳＬ端末４及びアナログ端末５からの信号を合成してアナログ回線７を介して局側装置２に供給したりする。
【００１３】
アナログ端末６は電話機又はＰＣ３の内蔵モデム等、プッシュ音を発生する装置であればよい。
【００１４】
図１には宅内側装置１を１つだけ示したが、局側装置２には当然に図示しない他の多数の宅内側装置が接続されている。
【００１５】
ＤＳＬＡＭ９はインターネット１１に接続されており、電話交換機８は公衆電話交換網ＰＳＴＮ（Ｐｕｂｌｉｃ　Ｓｗｉｔｃｈｅｄ　Ｔｅｌｅｐｈｏｎｅ　Ｎｅｔｗｏｒｋ）に接続されている。
【００１６】
本発明の実施の形態により、電話交換機８は制御装置１２を備えており、この制御装置１２は、アナログ端末５から出力されるプッシュ音の特別番号に応答してＤＳＬＡＭ９に向けて設定コントロール信号を供給する。これにより、宅内側装置１内のアナログ端末５から、局側装置２内のＤＳＬＡＭ９の各種設定状態が変更可能になる。
【００１７】
図２は図１における局側装置２の詳細を示すブロック図である。図２において、制御装置１２は、アナログ端末５からアナログ回線７及びスプリッタ１０を介して送られて来る切替信号に応じて回線を公衆電話交換網ＰＳＴＮから制御回線２１に切り替える切替部２２と、この切替部２２による制御回線２１への切替の後にＤＳＬＡＭ９に設定されている各種設定状態をアナログ端末５から制御回線２１を介して送られてくる制御信号に応じて変更する制御部２３とを備えている。
【００１８】
制御部２３は、アナログ回線７、スプリッタ１０及び切替部２２を介してアナログ端末５から送られてくる信号内容を認識する信号認識装置２４と、信号認識装置２４により認識された内容に応じてＤＳＬＡＭ９に制御信号を送出する信号制御装置２５と、信号認識装置２４及び信号制御装置２５に接続された音声発生装置２６とを備えている。音声発生装置２６は、切替信号により制御回線２１に切り替えられた後に、信号認識装置２４からの指示によりユーザ番号の入力を促すアナウンスをアナログ端末５に送出する。
【００１９】
信号認識装置２４は、ユーザ番号を認識するとＤＳＬＡＭ９にユーザ番号に対応する制御信号を伝送するとともに、音声発生装置２６を制御し、音声発生装置２６は信号認識装置２４による制御に従ってアナログ端末５にユーザ固有の認証番号の入力を促すアナウンスを行う。
【００２０】
ＤＳＬＡＭ９は、認証番号照合装置２７と、コマンド実行装置２８と、各ユーザ毎のＤＳＬＡＭポート２９とを備えている。尚、ＤＳＬＡＭ９は電話交換機８と離れた別のビルに設置してもよい。認証番号照合装置２７は、各ユーザの認証番号を保持しており、制御装置１２を介して受け取ったユーザ固有の認証番号と保持している各ユーザの認証番号とを照合し、一致した場合に、コマンド実行装置２８はＤＳＬＡＭポート２９の認証番号に対応するユーザポートを制御可能な状態にし、且つ、認証番号照合装置２７は信号制御装置２５を介して音声発生装置２６に対して変更を行いたい設定内容を選択させるアナウンスをするように音声発生装置２６を制御し、音声発生装置２６は、コマンド実行装置２８による制御の下に設定内容をアナログ端末５にアナウンスする。
【００２１】
設定内容のアナウンスは、設定内容の種類毎に異なるプッシュ番号の入力を促すアナウンスである。
【００２２】
アナログ端末５から設定内容の種類毎に異なるプッシュ番号の入力を促すアナウンスに応じてプッシュ番号が入力されると、コマンド実行装置２８はプッシュ番号をＤＳＬＡＭ制御装置１２及びＤＳＬＡＭ９内の認証番号照合装置２７を介して受け取り、ＤＳＬＡＭポート２９の認証番号に対応するユーザポートに対してプッシュ番号に対応する設定変更を実行する。
【００２３】
図３は図１及び図２に示したアナログ電話信号によるＡＤＳＬ局内装置の制御システムの動作の概略を説明するフローチャートである。図３において、ステップＳ３１で宅内側装置１のユーザが電話機等のアナログ端末５をオフフックする。次いでステップＳ３２で、ユーザはＤＳＬＡＭ９の制御を意味する番号（例えば”＃８”）を押す。次いでステップＳ３３でユーザはユーザ固有のＤＳＬＡＭポート番号（例えば”＊２１３”）を押す。次いでステップＳ３４でユーザはユーザ固有の認証番号（例えば”＊４６”）を押す。
【００２４】
これらの番号が電話交換機８に届くと、電話交換機８では「ＤＳＬＡＭの初期化を行いたい場合は１を、接続速度を下げて安定化したい場合は２を、安定化に関係なく接続速度を上げたい場合は３を押して下さい」というようなアナウンスをアナログ回線７を介してアナログ端末５に伝える。このアナウンスを聞いてユーザが”１＃”を押せばステップＳ３６にてユーザ固有のＤＳＬＡＭ９のポートが初期化され、”２＃”を押せばステップＳ３７にてユーザ固有のＤＳＬＡＭ９のポートの接続速度が下げられ、”３＃”を押せばステップＳ３８にてユーザ固有のＤＳＬＡＭ９のポートの接続速度が上げられる。
【００２５】
図４以降は図３のフローチャートを更に詳細にしたフローチャートである。
【００２６】
図４において、ステップＳ４１にて図３のステップＳ３２と同じくユーザはＤＳＬＡＭ９の制御を意味する番号（例えば”＃８”）を押す。するとステップＳ４２にて切替部２２は回線をＰＳＴＮから制御回線２１に切替える。次いでステップＳ４３にて信号認識装置２４は音声発生装置２６に対して例えば「ユーザ番号をお入れください」というようなアナウンスを行うように指示する。次いで音声発生装置２６はこの指示に従って「ユーザ番号をお入れください」というアナウンスを出力する。このアナウンスはアナログ回線７を介してアナログ端末５に到達する。アナログ端末５ではこのアナウンスを聴いた後にユーザが受話器を置いた場合は、そのオンフック信号が切替部２２に伝達されて回線は元のＰＳＴＮに接続し戻されて、処理は終了する。オンフックしない場合は図５のフローチャートに示す動作を行う。
【００２７】
図５において、ステップＳ５１では、アナログ端末５で受信したアナウンスに従って、図３のステップＳ３３と同じく、ユーザはユーザ固有のＤＳＬＡＭポート番号（例えば”＊２１３”）を押す。この番号はプッシュ音としてアナログ回線７、スプリッタ１０及び切替部２２を介して信号認識装置２４に伝達される。
【００２８】
次いでステップＳ５２では、信号認識装置２４はこの番号のプッシュ音（アナログ信号）を認識し、デジタル信号に変換して信号制御装置２５にその番号を伝送する。
【００２９】
次いでステップＳ５３では、信号制御装置２５は遠隔にあるＥｔｈｅｒｎｅｔ等の伝送路を使用して認証番号照合装置２７に上記番号を意味するデジタル信号をＡＳＣＩＩコード等で伝送する。
【００３０】
次いでステップＳ５４では、認証番号照合装置２７は受信したデジタル信号に基づいてポート番号（ユーザ番号）を認識し、認証番号が来るのを待つ。
【００３１】
次いでステップＳ５５では、認証番号照合装置２７から信号制御装置２５へ、ユーザに対してアナウンスする様に命令を伝送する。
【００３２】
次いでステップＳ５６では、信号制御装置２５から音声発生装置２６へ例えば「認証番号をお入れ下さい」とアナウンスをするように指示をする。
【００３３】
次いでステップＳ５７では、音声発生装置２６より例えば「認証番号をお入れ下さい」とアナウンスする。
【００３４】
このアナウンスはアナログ回線７を介してアナログ端末５に到達する。アナログ端末５ではこのアナウンスを聴いた後にユーザが受話器を置いた場合は、そのオンフック信号が切替部２２に伝達されて回線は元のＰＳＴＮに接続し戻されて、処理は終了する。オンフックしない場合は図６のフローチャートに示す動作を行う。
【００３５】
図６において、ステップＳ６１〜ステップＳ６３は、伝送されるプッシュ音の番号が認証番号（”＊４６”）である点を除く除き、図５のステップＳ５１〜ステップＳ５３と同じである。
【００３６】
次いでステップＳ６４では、認証番号照合装置２７は受信した認証番号と保持している各ユーザの認証番号とを照合する。ステップＳ６５で保持している認証番号と受信した認証番号とが一致した場合は、ステップＳ６６に進み、コマンド実行装置２８にてユーザ固有のポートの制御を行える準備を行う。
【００３７】
次いでステップＳ６７にて、認証番号照合装置２７から信号制御装置２５へ、ユーザに対して例えば「ＤＳＬＡＭ９の初期化を行いたい場合は１を、接続速度を下げて安定化したい場合は２を、安定化に関係なく接続速度を上げたい場合は３を押して＃を押して下さい」というアナウンスを行うように指示する。
【００３８】
このアナウンスもアナログ回線７を介してアナログ端末５に到達する。アナログ端末５ではこのアナウンスを聴いた後にユーザが受話器を置いた場合は、そのオンフック信号が切替部２２に伝達されて回線は元のＰＳＴＮに接続し戻されて、処理は終了する。オンフックしない場合は図７のフローチャートに示す動作を行う。
【００３９】
ステップＳ６５にて、受信した認証番号が保持している認証番号のいずれとも不一致であった場合は、ステップＳ６９に進み、認証番号照合装置２７から信号制御装置２５に、ユーザに対して例えば「再度お客様のユーザ番号をお入れ下さい」というアナウンスをする様に命令を伝送する。
【００４０】
次いでステップＳ６０１にて、信号制御装置２５から音声発生装置２６に上記のアナウンスをするように指示をする。
【００４１】
次いでステップＳ６０２にて、音声発生装置２６より例えば「再度お客様のユーザ番号をお入れ下さい」というアナウンスを流す。
【００４２】
このアナウンスもアナログ回線７を介してアナログ端末５に到達する。アナログ端末５ではこのアナウンスを聴いた後にユーザが受話器を置いた場合は、そのオンフック信号が切替部２２に伝達されて回線は元のＰＳＴＮに接続し戻されて、処理は終了する。オンフックしない場合は図５のフローチャートに示す動作を繰り返す。
【００４３】
図７において、図６のステップＳ６８により指示された音声発生装置２６は例えば「ＤＳＬＡＭ９の初期化を行いたい場合は１を、接続速度を下げて安定化したい場合は２を、安定化にｋン系なく接続速度を上げたい場合は３を押して＃を押して下さい」というアナウンスを行う。
【００４４】
このアナウンスに応答してユーザが”１＃”を押した場合がステップＳ７２であり、”２＃”を押した場合がステップＳ７３であり、”３＃”を押した場合がステップＳ７４である。
【００４５】
ステップＳ７２〜ステップＳ７４のいずれかの後に、ステップＳ７５及びステップＳ７６にて図５のステップＳ５２及びステップＳ５３と同様の動作をする。
【００４６】
次いでステップＳ７７にて、認証番号照合装置２７は受信したプッシュ音の番号ごとにプリセットされた機能をコマンド実行装置２８に指令する。
【００４７】
ステップＳ７８では、認証番号照合装置２７からの指令を受けて命令を実行する。
【００４８】
次いでステップＳ７９では、認証番号照合装置２７から信号制御装置２５へ、ユーザに対して例えば「別の命令がある場合は、任意の番号を入力し、無い場合は受話器を置いて得下さい」とアナウンスする様に命令を伝送する。
【００４９】
ステップＳ７０１では信号制御装置２５が音声発生装置２６へ上記アナウンスを行うよう指示する。
【００５０】
次いでステップＳ７０２では音声発生装置２６より上記アナウンス「別の命令がある場合は、任意の番号を入力し、無い場合は受話器を置いて得下さい」を行う。
【００５１】
次いでステップＳ７０３にてユーザの対応を判定し、ユーザが受話器を置いた場合はステップＳ７０４にて回線を元に戻して処理を終了し、番号を入力した場合はステップＳ７１に戻る。
【００５２】
以上の実施の形態の説明ではアナログ端末５として電話機を用いたが、これに替えてＰＣ内蔵のモデムを用いてもよい。
【００５３】
【発明の効果】
以上の説明から明らかなように、本発明によれば、ＤＳＬＡＭの状態の再設定や設定の変更を、ＤＳＬＡＭの管理会社を介することなく宅内側装置から直接に行うことを可能にするアナログ電話信号によるｘＤＳＬ局内装置の制御システムが提供される。
【図面の簡単な説明】
【図１】本発明の実施の形態によるアナログ電話信号によるｘＤＳＬ局内装置の制御システムの概略構成を示すブロック図である。
【図２】図１における局側装置２の詳細を示すブロック図である。
【図３】図１及び図２に示したアナログ電話信号によるｘＤＳＬ局内装置の制御システムの動作の概略を説明するフローチャートである。
【図４】図３のフローチャートを更に詳細にしたフローチャートの一部である。
【図５】図３のフローチャートを更に詳細にしたフローチャートの他の一部である。
【図６】図３のフローチャートを更に詳細にしたフローチャートの更に他の一部である。
【図７】図３のフローチャートを更に詳細にしたフローチャートの更に他の一部である。
【符号の説明】
１…宅内側装置
２…局側装置
４…ｘＤＳＬ端末
５…アナログ端末
７…アナログ回線
８…電話交換機
９…ｘＤＳＬ局内装置（ＤＳＬＡＭ）
１２…制御装置
２２…切替部
２３…制御部
２４…信号認識装置
２５…信号制御装置
２６…音声発生装置
２７…認証番号照合装置
２８…コマンド実行装置
２９…ＤＳＬＡＭポート
【図１】
2004023290.tif 000003
【図２】
2004023290.tif 000004
【図３】
2004023290.tif 000005
【図４】
2004023290.tif 000006
【図５】
2004023290.tif 000007
【図６】
2004023290.tif 000008
【図７】
2004023290.tif 000009
【手続補正書】
【提出日】平成15年1月6日(2003.1.6)
【手続補正１】
【補正対象書類名】明細書
【補正対象項目名】０００７
【補正方法】変更
【補正の内容】
【０００７】
【課題を解決するための手段】
上記目的を達成するために、本発明により提供されるものは、電話交換機が、宅内装置から送られて来る特別番号に応答して、局側装置の各種設定状態を変更可能にする制御装置を備えていることを特徴とする、局側装置の制御システムである。


【手続補正２】
【補正対象書類名】明細書
【補正対象項目名】００１３
【補正方法】変更
【補正の内容】
【００１３】
アナログ端末５は電話機又はＰＣ３の内蔵モデム等、プッシュ音を発生する装置であればよい。


【手続補正３】
【補正対象書類名】明細書
【補正対象項目名】００２９
【補正方法】変更
【補正の内容】
【００２９】
次いでステップＳ５３では、信号制御装置２５はＥｔｈｅｒｎｅｔ等の伝送路を使用して遠隔にある認証番号照合装置２７に上記番号を意味するデジタル信号をＡＳＣＩＩコード等で伝送する。


【手続補正４】
【補正対象書類名】明細書
【補正対象項目名】００４３
【補正方法】変更
【補正の内容】
【００４３】
図７において、図６のステップＳ６８により指示された音声発生装置２６は例えば「ＤＳＬＡＭ９の初期化を行いたい場合は１を、接続速度を下げて安定化したい場合は２を、安定化に関係なく接続速度を上げたい場合は３を押して＃を押して下さい」というアナウンスを行う。


【手続補正５】
【補正対象書類名】明細書
【補正対象項目名】００４８
【補正方法】変更
【補正の内容】
【００４８】
次いでステップＳ７９では、認証番号照合装置２７から信号制御装置２５へ、ユーザに対して例えば「別の命令がある場合は、任意の番号を入力し、無い場合は受話器を置いて下さい」とアナウンスする様に命令を伝送する。


【手続補正６】
【補正対象書類名】図面
【補正対象項目名】図２
【補正方法】変更
【補正の内容】
【図２】
2004023290.tif 000010